(57)【要約】【課題】広い分野・範囲において使用することができ、簡素な構造を有する静電気除去装置を提供する。【解決手段】本発明の静電気除去装置は、（Ａ）絶縁層１１を介して対面して配置された第１の導電体片１２及び第２の導電体片１３、並びに、（Ｂ）第１の導電体片１２に一端が電気的に接続され、第２の導電体片１３に他端が電気的に接続された放電手段（例えばバリスタ１４）から構成され、静電気帯電体を第１の導電体片１２に接触させることによって第１の導電体片１２及び第２の導電体片１３に静電誘導された電荷が、第１の導電体片１２と第２の導電体片１３との間に誘電分極によって蓄電された後、第１の導電体片１２及び第２の導電体片１３が接地されていない状態で、放電手段（例えばバリスタ１４）によって放電される。【選択図】  図１
2005123150.tif 000002
【特許請求の範囲】
【請求項１】
（Ａ）絶縁層を介して対面して配置された第１の導電体片及び第２の導電体片、並びに、
（Ｂ）第１の導電体片に一端が電気的に接続され、第２の導電体片に他端が電気的に接続された放電手段、
から構成され、
静電気帯電体を第１の導電体片に接触させることによって第１の導電体片及び第２の導電体片に静電誘導された電荷が、誘電分極によって第１の導電体片と第２の導電体片との間に蓄電された後、第１の導電体片及び第２の導電体片が接地されていない状態で、放電手段によって放電されることを特徴とする静電気除去装置。
【請求項２】
放電手段はバリスタから成ることを特徴とする請求項１に記載の静電気除去装置。
【請求項３】
放電手段に直列に接続された抵抗器、
抵抗器の両端の電圧を解析する解析手段、及び、
解析結果を表示する表示手段、
を更に備えていることを特徴とする請求項１に記載の静電気除去装置。
【請求項４】
第１の導電体片は中空の第１のパイプから成り、
第２の導電体片は、第１の導電体片の内部に格納され、絶縁層によって第１の導電体片に固定された第２のパイプ若しくは棒状材料から成ることを特徴とする請求項１に記載の静電気除去装置。
【請求項５】
絶縁層は平板材料から成り、
第１の導電体片は、絶縁層の一方の面に配置されており、
第２の導電体片は、絶縁層の他方の面に配置されていることを特徴とする請求項１に記載の静電気除去装置。
【請求項６】
絶縁層には貫通部が形成されており、
貫通部内に放電手段が格納されていることを特徴とする請求項５に記載の静電気除去装置。
【請求項７】
第１の導電体片は、絶縁層の一方の面に配置されており、
第２の導電体片は、絶縁層の他方の面に配置されており、
絶縁層には貫通部が形成されており、
放電手段は、絶縁層の他方の面側に配置されており、
放電手段の一端は、貫通部を介して第１の導電体片に電気的に接続されていることを特徴とする請求項１に記載の静電気除去装置。
【請求項８】
第１の導電体片に一端が電気的に接続され、第２の導電体片に他端が電気的に接続された第２の放電手段を更に備えており、
静電気帯電体を第１の導電体片に接触させることによって第１の導電体片及び第２の導電体片に静電誘導された電荷が、誘電分極によって第１の導電体片と第２の導電体片との間に蓄電された後、第１の導電体片及び第２の導電体片が接地されていない状態で、放電手段及び第２の放電手段によって放電されることを特徴とする請求項１に記載の静電気除去装置。
【請求項９】
放電手段又は第２の放電手段に直列に接続された抵抗器、
抵抗器の両端の電圧を解析する解析手段、及び、
解析結果を表示する表示手段、
を更に備えていることを特徴とする請求項８に記載の静電気除去装置。
【請求項１０】
放電手段は、第１のバリスタから成り、
第２の放電手段は、直列に接続された第２のバリスタ及び放電管から成り、
放電手段の放電開始電圧よりも、第２の放電手段の放電開始電圧が低いことを特徴とする請求項８に記載の静電気除去装置。
【請求項１１】
第１の導電体片は中空の第１のパイプから成り、
第２の導電体片は、第１の導電体片の内部に格納され、絶縁層によって第１の導電体片に固定された第２のパイプ若しくは棒状材料から成ることを特徴とする請求項８に記載の静電気除去装置。
【請求項１２】
第１の導電体片、又は、第１の導電体片及び第２の導電体片には、第２の放電手段を構成する放電管の発光状態を観察するための孔部が設けられていることを特徴とする請求項１１に記載の静電気除去装置。
【請求項１３】
絶縁層は平板材料から成り、
第１の導電体片は、絶縁層の一方の面に配置されており、
第２の導電体片は、絶縁層の他方の面に配置されていることを特徴とする請求項８に記載の静電気除去装置。
【請求項１４】
絶縁層には貫通部が形成されており、
貫通部内に放電手段及び第２の放電手段が格納されていることを特徴とする請求項１３に記載の静電気除去装置。
【請求項１５】
第１の導電体片は、絶縁層の一方の面に配置されており、
第２の導電体片は、絶縁層の他方の面に配置されており、
絶縁層には貫通部が形成されており、
放電手段及び第２の放電手段は、絶縁層の他方の面側に配置されており、
放電手段及び第２の放電手段の一端は、貫通部を介して第１の導電体片に電気的に接続されていることを特徴とする請求項８に記載の静電気除去装置。
【請求項１６】
（Ａ）絶縁層を介して対面して配置された第１の導電体片及び第２の導電体片、並びに、
（Ｂ）第１の導電体片に一端が電気的に接続され、第２の導電体片に他端が電気的に接続された放電手段、
から構成された静電気除去装置を用いた静電気除去方法であって、
静電気帯電体を第１の導電体片に接触させることによって第１の導電体片及び第２の導電体片に静電誘導された電荷を、誘電分極によって第１の導電体片と第２の導電体片との間に蓄電させた後、第１の導電体片及び第２の導電体片が接地されていない状態で、放電手段によって放電することを特徴とする静電気除去方法。
【発明の詳細な説明】
【技術分野】
【０００１】
本発明は、静電気除去装置、及び、静電気除去方法に関する。
【背景技術】
【０００２】
日常生活において、例えば人が歩くと、着衣との摩擦等によって静電気が発生する。また、建物の廊下やロビー等には屡々カーペットが敷かれており、カーペットの上を歩くことによって身体に静電気が発生する。これらの静電気は、自然放電されずに人体や着衣に電荷として蓄積される。その結果、部屋の入口、門戸、扉の取手、エレベータの操作盤、車両のドアーの取手、金属家具等に手を触れると、人体及び／又は着衣に帯電していた電荷（静電気）が急減に放電され、人体に強い衝撃を与える。
【０００３】
また、パーソナルコンピュータや携帯電話等の電子機器には、集積回路や電子部品が数多く用いられている。そして、帯電した人が電子機器に接近したり、触れた場合、屡々、電荷が電子機器において静電誘導される。電子機器に蓄積された電荷が電子機器を構成する電子部品の耐圧を超えて一気に放電されると、放電電圧が数キロボルトを超えることもあるが故に、このような高い放電電圧は電子機器の誤動作や故障の原因となる。
【０００４】
電荷（静電気）の放電の際に人体の生ずる衝撃を緩和する方法として、一般には、高抵抗回路（より具体的には、例えば、抵抗器を含む所謂サージ吸収回路）を介して接地（アース）された静電気除去装置を使用し、この静電気除去装置に人が触れることで電荷（静電気）を大地へと流す方法を挙げることができる。
【０００５】
電子機器に関しては、高い放電電圧の発生を抑制するために、放電電流を抑えるコイルや抵抗器、静電気パルスを吸収するコンデンサーやツェナーダイオード等を組み合わせて成る静電気除去回路を電子機器に組み込む方法を挙げることができる。また、例えば搬送時の摩擦によって帯電した帯電物（例えば帯電したフィルムや電子部品）における静電気除去のために、コロナ放電によって帯電物の付近の雰囲気をイオン化するためにイオンガス群を発生させる交流電圧印加式除電装置を使用する方法が知られている。
【０００６】
特開平１０−３１６３２１号公報（例えば、第３頁、図１、図２参照）には、エレベータの乗場操作盤に関して、静電気吸収プレートを非常に高抵抗の抵抗器を介してアースした構成が開示されている。この特許公開公報に開示された技術によれば、抵抗器が無い場合に比べて、静電気の電圧が、瞬時ではなく長時間に亙って抵抗器に加わるので、人体が受ける衝撃を軽減できるとされている。
【０００７】
特開平２００１−３５６８４号公報（例えば、第２頁参照）には、構造物の金属部分や車のドアー等に、接触部材を介してアースする方法が開示されている。静電気を放電する回路に抵抗器を含む所謂サージ吸収回路を組み込み、急激な放電を緩和する。
【０００８】
特開平０１−２５１５９８号公報（例えば、第２頁参照）には、導電性繊維に導電性を有する物質を付着させ、アースすること無く、静電気を除去する技術が開示されている。
【０００９】
特開平０５−１７４３７６号公報（例えば、第２頁、及び、第４頁、図１参照）には、イオン生成電極に高圧電源から高電圧を印加して空気をイオン化するイオン発生装置を使用して、ポリエチレンテレフタレートフィルム（ＰＥＴフィルム）に帯電した電荷を中和させる方法が開示されている。
【００１０】
特開２０００−２６２３０３号公報（例えば、第１頁）には、工場における静電気対策の１つとして、リスト・トラップと呼ばれる製品が開示されている。
【００１１】
【特許文献１】特開平１０−３１６３２１号公報（第３頁、図１、図２）
【特許文献２】特開平２００１−３５６８４号公報（第２頁）
【特許文献３】特開平０１−２５１５９８号公報（第２頁）
【特許文献４】特開平０５−１７４３７６号公報（第２頁、及び、第４頁、図１）
【特許文献５】特開２０００−２６２３０３号公報（第１頁）
【発明の開示】
【発明が解決しようとする課題】
【００１２】
しかしながら、着衣に帯電した電荷（静電気）を放電する経路に高抵抗器や導電材料等を介在させることで急激な放電を緩和する従来の静電気除去装置を使用した静電気除去方法においては、大地への接地を前提とした放電回路が形成され、人体も放電回路の構成要素の一部となるため、放電時、人によっては相当の衝撃がある。また、この従来の方法は、常に接地された静電気除去装置に人が接触しなければならないといった不便さがある。しかも、人の帯電状態は千差万別であり、僅かしか帯電しない人もいれば、大量に帯電する人もいる。そして、大量に帯電する人は、従来の静電気除去装置を使用した静電気除去方法（接地する方式）では、衝撃を避けることができない場合がある。
【００１３】
また、静電気除去回路を電子機器に組み込む方法においても、常に静電気除去回路を接地しておかなければならないといった問題がある。更には、電子機器の場合、接地することで、逆に大地からのノイズを拾い、電子機器の動作に支障をきたす場合がある。特に、近年の携帯電話の普及は著しいが、携帯電話の性質上、アースを取ることは難しく、人体に帯電した静電気に起因したと考えられる故障が発生している。コロナ放電によって帯電物の付近の雰囲気をイオン化することで帯電物の静電気を除去する方法において使用される交流電圧印加式除電装置は高価であるし、イオンガス群発生のための電力の供給を必要とする。
【００１４】
特開平１０−３１６３２１号公報に開示された技術にあっては、漏電等が発生した場合の危険性といった問題や、除電状態が告知されないので、除電が確実に行われたか否か判断し難いといった問題がある。
【００１５】
特開平２００１−３５６８４号公報に開示された技術においては、人によっては衝撃を受ける場合があるし、接触部材を接触させるべき構造物の金属部分や車のドアー等を捜さなければならないといった不便さがある。
【００１６】
特開平０１−２５１５９８号公報に開示された技術においては、空中放電によって静電気を除去させるので、静電気を除去する場所の近傍に、引火性のガスや有機溶剤等が存在する場合、爆発や引火の危険ある。従って、使用個所に制限がある。
【００１７】
特開平０５−１７４３７６号公報に開示された技術においては、高価なイオン発生装置が必要とされるし、イオン発生のための電力が必要とされる。
【００１８】
特開２０００−２６２３０３号公報に開示された技術においては、リスト・トラップを接地する必要があるし、接地のための配線（コード）が付属しており、作業上、不便である。
【００１９】
従って、本発明の目的は、従来の技術の有する欠点を改良した、広い分野・範囲において使用することができ、簡素な構造を有する静電気除去装置、及び、係る静電気除去装置を使用した静電気除去方法を提供することにある。
【課題を解決するための手段】
【００２０】
上記の目的を達成するための本発明の静電気除去装置は、
（Ａ）絶縁層を介して対面して配置された第１の導電体片及び第２の導電体片、並びに、
（Ｂ）第１の導電体片に一端が電気的に接続され、第２の導電体片に他端が電気的に接続された放電手段、
から構成され、
静電気帯電体を第１の導電体片に接触させることによって第１の導電体片及び第２の導電体片に静電誘導された電荷が、誘電分極によって第１の導電体片と第２の導電体片との間に蓄電された後、第１の導電体片及び第２の導電体片が接地されていない状態で、放電手段によって放電されることを特徴とする。
【００２１】
また、上記の目的を達成するための本発明の静電気除去方法は、
（Ａ）絶縁層を介して対面して配置された第１の導電体片及び第２の導電体片、並びに、
（Ｂ）第１の導電体片に一端が電気的に接続され、第２の導電体片に他端が電気的に接続された放電手段、
から構成された静電気除去装置を用いた静電気除去方法であって、
静電気帯電体を第１の導電体片に接触させることによって第１の導電体片及び第２の導電体片に静電誘導された電荷を、誘電分極によって第１の導電体片と第２の導電体片との間に蓄電させた後、第１の導電体片及び第２の導電体片が接地されていない状態で、放電手段によって放電することを特徴とする。
【００２２】
本発明の静電気除去装置あるいは静電気除去方法（以下、これらを総称して、単に、本発明と呼ぶ場合がある）においては、静電気帯電体を第１の導電体片に接触させるが、「接触」という用語には、静電気帯電体が第１の導電体片に直接的に触れ、あるいは又、静電気帯電体を第１の導電体片に直接的に触れさせる形態だけでなく、静電気帯電体が第１の導電体片に間接的に触れ、あるいは又、静電気帯電体を第１の導電体片に間接的に触れさせる形態が包含される。ここで、間接的に触れる形態、あるいは、間接的に触れさせる形態として、例えば、配線を介して静電気帯電体と第１の導電体片とが電気的に結ばれているといった状態を例示することができる。また、放電手段（あるいは、後述する第２の放電手段）によって放電された後の第１の導電体片と第２の導電体片との間の電位差は、０ボルトであってもよいし、０ボルトを越える値であってもよく、要は、例えば人体に衝撃を与えない電位差（一例として約５００ボルトあるいはそれ以下を挙げることができる）であればよい。
【００２３】
また、本発明において、静電誘導された電荷は放電手段（あるいは、後述する第２の放電手段）によって放電されるが、「放電」という概念には、電荷に基づくエネルギーが、放電手段（あるいは、後述する第２の放電手段）によって熱に変換される概念、放電手段（あるいは、後述する第２の放電手段）によって光に変換される概念を包含する。ここで、誘電分極によって第１の導電体片と第２の導電体片との間に蓄電された電荷に起因した放電手段（あるいは、後述する第２の放電手段）の両端における電位差が、放電手段（あるいは後述する第２の放電手段）の放電開始電圧を超えると、係る電荷が放電手段（あるいは第２の放電手段）によって放電される。尚、静電誘導とは、電気を帯びた人体や物体といった静電気帯電体の近傍に電気を帯びていない物体を置くと、物体を構成する材料に分極が生じ、その物体も電気を帯びる現象を指す。
【００２４】
本発明にあっては、放電手段は、バリスタ、放電管、及び、エアーギャップから成る群から選択された少なくとも１種の装置から成ることが好ましい。尚、このような構成を、便宜上、本発明の第１の形態と呼ぶ場合がある。具体的には、本発明の第１の形態にあっては、例えば、放電手段は、バリスタから成り、放電管から成り、エアーギャップから成り、バリスタと放電管を直列に接続したものから成り、あるいは又、バリスタとエアーギャップを直列に接続したものから成る構成とすることができる。尚、放電管を放電手段の構成要素とする場合、放電管の放電状態を静電気除去装置の外部から視認できる構成、構造とすることが好ましい。放電管やエアーギャップからはノイズが発生する場合があるので、ノイズの発生を避ける必要があるときには、放電手段としてバリスタを用いることが好ましい。
【００２５】
本発明にあっては、放電手段に直列に接続された抵抗器、抵抗器の両端の電圧を解析する解析手段、及び、解析結果を表示する表示手段を更に備えている構成とすることができる。これによって、放電状態を、容易に、且つ、確実に確認することができる。
【００２６】
本発明の第１の形態を含む本発明にあっては、第１の導電体片は中空の第１のパイプから成り、第２の導電体片は、第１の導電体片の内部に格納され、絶縁層によって第１の導電体片に固定された第２のパイプ若しくは棒状材料から成る構成とすることができる。このような構成を採用することで、例えば、小型で軽量の携帯用の静電気除去装置を得ることができる。放電手段は、第１の導電体片と第２の導電体片との間に存在する空間内に配置されていてもよいし、第１の導電体片の外側に配置されていてもよいし、第２の導電体片を中空のパイプから構成する場合、第２の導電体片の内部空間内に配置されていてもよい。
【００２７】
あるいは又、本発明の第１の形態を含む本発明にあっては、絶縁層は平板材料から成り、第１の導電体片は絶縁層の一方の面に配置されており、第２の導電体片は絶縁層の他方の面に配置されている構成とすることができる。そして、この場合、絶縁層には貫通部が形成されており、貫通部内に放電手段が格納されている構成とすることができる。このような構成を採用することでも、例えば、小型で軽量の携帯用の静電気除去装置を得ることができる。
【００２８】
あるいは又、本発明の第１の形態を含む本発明にあっては、第１の導電体片は絶縁層の一方の面に配置されており、第２の導電体片は絶縁層の他方の面に配置されており、絶縁層には貫通部が形成されており、放電手段は絶縁層の他方の面側に配置されており、放電手段の一端は貫通部を介して第１の導電体片に電気的に接続されている構成とすることができる。このような構成を採用することでも、例えば、小型で軽量の携帯用の静電気除去装置を得ることができる。
【００２９】
あるいは又、本発明にあっては、第１の導電体片に一端が電気的に接続され、第２の導電体片に他端が電気的に接続された第２の放電手段を更に備えており、静電気帯電体を第１の導電体片に接触させることによって第１の導電体片及び第２の導電体片に静電誘導された電荷が、誘電分極によって第１の導電体片と第２の導電体片との間に蓄電された後、第１の導電体片及び第２の導電体片が接地されていない状態で、放電手段及び第２の放電手段によって放電される構成とすることができる。尚、このような構成を、便宜上、本発明の第２の形態と呼ぶ場合がある。
【００３０】
本発明の第２の形態にあっては、放電手段又は第２の放電手段に直列に接続された抵抗器、抵抗器の両端の電圧を解析する解析手段、及び、解析結果を表示する表示手段を更に備えている構成とすることができる。これによって、放電状態を、容易に、且つ、確実に確認することができる。
【００３１】
本発明の第２の形態においては、放電手段は、第１のバリスタから成り、第２の放電手段は直列に接続された第２のバリスタ及び放電管から成り、放電手段の放電開始電圧よりも第２の放電手段の放電開始電圧が低い構成とすることができる。具体的には、放電管を確実に点灯させるために、放電管の放電開始電圧に第２のバリスタの放電開始電圧を加えた値が、第１のバリスタの放電開始電圧の値よりも低くなるように、第１のバリスタ、第２のバリスタ、放電管を選択することが好ましい。尚、このような構成とすることで、放電後の静電気除去装置に残留する電圧を、本発明の第１の形態におけるよりも、一層低くすることができる。また、放電管を備えることで、放電状態を確認することができる。
【００３２】
上記の構成を含む本発明の第２の形態においては、第１の導電体片は中空の第１のパイプから成り、第２の導電体片は、第１の導電体片の内部に格納され、絶縁層によって第１の導電体片に固定された第２のパイプ若しくは棒状材料から成る構成とすることができる。放電手段は、第１の導電体片と第２の導電体片との間に存在する空間内に配置されていてもよいし、第１の導電体片の外側に配置されていてもよいし、第２の導電体片を中空のパイプから構成する場合、第２の導電体片の内部空間内に配置されていてもよい。また、第２の放電手段も、第１の導電体片と第２の導電体片との間に存在する空間内に配置されていてもよいし、第１の導電体片の外側に配置されていてもよいし、第２の導電体片を中空のパイプから構成する場合、第２の導電体片の内部空間内に配置されていてもよい。第２の放電手段が第１の導電体片と第２の導電体片との間に存在する空間内に配置されている場合、第１の導電体片には、第２の放電手段を構成する放電管の発光状態を観察するための孔部が設けられていることが好ましい。また、第２の放電手段が第２の導電体片の内部空間内に配置されている場合、第１の導電体片及び第２の導電体片には、第２の放電手段を構成する放電管の発光状態を観察するための孔部が設けられていることが好ましい。このような構成を採用することで、例えば、小型で軽量の携帯用の静電気除去装置を得ることができる。
【００３３】
あるいは又、上記の構成を含む本発明の第２の形態においては、絶縁層は平板材料から成り、第１の導電体片は絶縁層の一方の面に配置されており、第２の導電体片は絶縁層の他方の面に配置されている構成とすることができ、この場合には、絶縁層には貫通部が形成されており、貫通部内に放電手段及び第２の放電手段が格納されている構成とすることができる。このような構成を採用することでも、例えば、小型で軽量の携帯用の静電気除去装置を得ることができる。
【００３４】
あるいは又、上記の構成を含む本発明の第２の形態においては、第１の導電体片は絶縁層の一方の面に配置されており、第２の導電体片は絶縁層の他方の面に配置されており、絶縁層には貫通部が形成されており、放電手段及び第２の放電手段は絶縁層の他方の面側に配置されており、放電手段及び第２の放電手段の一端は貫通部を介して第１の導電体片に電気的に接続されている構成とすることができる。このような構成を採用することでも、例えば、小型で軽量の携帯用の静電気除去装置を得ることができる。
【００３５】
本発明の静電気除去装置が組み込まれた、あるいは又、本発明の静電気除去装置を備えた、あるいは又、本発明の静電気除去装置が取り付けられた、例えば、商店や事務所、ホテル、部屋、車両等における各種の扉やドアー、出入口、門戸；商店や事務所、ホテル、部屋、車両等における各種の扉の取手やドアーの取手、出入口の取手、門戸の取手；エレベータの操作盤；鍵；キーホルダー；携帯電話やパーソナルコンピュータ、ゲームマシーンといった各種の電子機器；集積回路や電子部品；名札；携帯用カード；各種のノズル、搬送装置の回転部や搬送部；作業台やトレイ、容器、コンテナ、棚；各種の金属製家具や金属製部材；構造物の金属部分を得ることができる。
【００３６】
ここで、バリスタとは、印加電圧の上昇に伴い、非直線的に抵抗値が減少する二端子素子である。即ち、バリスタは、放電開始電圧まではほぼ絶縁物と同等な高抵抗であるが、印加される電圧が放電開始電圧を超えると急激に抵抗値が減少し、ほぼ導通状態となる二端子素子である。第１の導電体片及び第２の導電体片に静電誘導され、そして、誘電分極によって蓄電（蓄積）された電荷は、バリスタの内部抵抗によって熱として消耗される。即ち、静電気は、電圧としては非常に高いが、電流値は非常に少ないので、バリスタの内部抵抗で充分、消耗される。具体的には、バリスタは、ダイオードバリスタ（亜酸化銅バリスタ、セレンバリスタ、シリコンバリスタ、シリコンツェナーダイオード）と、セラミックバリスタ（酸化亜鉛バリスタ、チタン酸バリウムバリスタ、シリコンカーバイドバリスタ）とに分類することができる。本発明にあっては、限定するものではないが、静電気除去装置の小型化といった観点から、バリスタとしてセラミックバリスタを使用することが好ましい。また、本発明において、静電気除去装置を携帯型とする場合には、主にチップバリスタを使用し、取付型（固定型）とする場合には、出来るだけ大型タイプのバリスタを使用することが望ましい。
【００３７】
また、放電管とは、低圧に排気した容器内にガスを封入し、電極間に電圧を印加することで、陰極から放出された電子と封入ガスあるいは蒸気との衝突電離作用に伴う電気的特性や発光現象を利用した一種の電子管であり、主としてネオンガスのグロー放電の陽光柱によって発光する管形の放電ランプであるネオン管、同じ形式のアルゴンガス、水銀、ヘリウムガス、窒素ガス等のグロー放電ランプが含まれる。第１の導電体片及び第２の導電体片に静電誘導され、そして、誘電分極によって蓄電（蓄積）された電荷は、放電管における放電の際、光として消耗される。放電管における発光を観察することで、放電の開始や継続、完了を確認することができる。
【００３８】
更には、エアーギャップとは、２つの電極によって隔てられた気中放電ギャップである。第１の導電体片及び第２の導電体片に静電誘導され、そして、誘電分極によって蓄電（蓄積）された電荷は、エアーギャップにおける放電によって熱として消耗される。
【００３９】
本発明において、絶縁層を構成する材料、あるいは又、絶縁層を構成する平板材料として、電気抵抗値が１０7Ω／ｃｍ以上の材料を用いることが好ましく、具体的には、エポキシ樹脂やフェノール樹脂、ＡＢＳ樹脂、変性ポリフェニレンエーテル（ＰＰＥ）樹脂に代表されるプラスチックス；皮；ガラス；紙；琥珀；天然ゴムやウレタンゴムといった各種のゴムを例示することができる。また、第１の導電体片及び第２の導電体片、あるいは又、第１のパイプや第２のパイプ、棒状材料を構成する材料として、ステンレススチールやアルミニウム、アルミニウム合金、銅、銅合金に代表される金属や合金；導電性ゴム；導電性繊維；導電性ペースト硬化物を例示することができる。絶縁層における貫通部の形成方法は、絶縁層を構成する材料に応じて適切な方法を採用すればよい。
【００４０】
絶縁層への第１の導電体片及び／又は第２の導電体片の配置方法として、絶縁層を構成する材料にも依るが、第１の導電体片及び／又は第２の導電体片を絶縁層へ接着剤を用いて接着する方法、第１の導電体片及び／又は第２の導電体片を接着剤としての絶縁層へ接着する方法、第１の導電体片及び／又は第２の導電体片をメッキ法にて絶縁層表面に形成する方法、第１の導電体片及び／又は第２の導電体片を印刷法にて絶縁層表面に形成する方法、第１の導電体片及び／又は第２の導電体片を真空蒸着法やスパッタリング法で代表される物理的気相成長法（ＰＶＤ法）にて絶縁層表面に形成する方法、インサート射出成形法にて絶縁層を成形しながら第１の導電体片及び／又は第２の導電体片を絶縁層表面に設ける方法を挙げることができる。
【００４１】
放電手段や第２の放電手段の一端の第１の導電体片への電気的な接続方法、あるいは又、放電手段や第２の放電手段の他端の第２の導電体片への電気的な接続方法として、リード部やリード線、配線を介した半田付け、導電性ペーストを用いた電気的接続法を例示することができる。
【発明の効果】
【００４２】
帯電した人や物体、物品である静電気帯電体を第１の導電体片に接触させると、第１の導電体片及び第２の導電体片に電荷が静電誘導される。そして、静電誘導された電荷は、誘電分極によって第１の導電体片と第２の導電体片との間に蓄電された後、第１の導電体片及び第２の導電体片が接地されていない状態で、放電手段（あるいは、放電手段及び／又は第２の放電手段）によって放電される。その後、例えば人が他の金属部材（例えば、部屋の入口、門戸、扉の取手、エレベータの操作盤、車両のドアーの取手、金属家具）に接触しても、人体に激痛が走ることはない。あるいは、物体や物品と他の金属部材との間で放電が生じることもない。尚、例えば第２の導電体片が接地されていると、たとえ、静電気除去装置が、絶縁層を介して対面して配置された第１の導電体片及び第２の導電体片、並びに、第１の導電体片に一端が電気的に接続され、第２の導電体片に他端が電気的に接続された放電手段を備えていても、電荷が瞬時に大地へと流れる結果、多くの場合、人体に激痛が走る。本発明にあっては、第１の導電体片及び第２の導電体片が接地されておらず、電荷は放電手段あるいは第２の放電手段において熱や光として消耗される結果、しかも、人体が放電回路の構成要素の一部となることが無いので、人体に激痛が走ることはない。
【００４３】
また、本発明の静電気除去装置を車両や扉の開閉のための鍵に組み込んだ場合、人が、鍵に組み込まれた本発明の静電気除去装置の第１の導電体片に触れるだけで、他には何処にも触れることなく、帯電を除去することができる結果、その後、車両や扉に触れても、人が衝撃を受けることはない。
【００４４】
また、本発明の静電気除去装置においては、電荷の放電は放電手段あるいは第２の放電手段の内部で処理されるため、外部の雰囲気に影響されない。更には、フィルム搬送、小型電子部品製造等の工程において、移動中にフィルムや電子部品に帯電した電荷を除去することは、移動中のフィルムや電子部品を接地することが困難であるが故に、極めて難しく、従来、イオン発生装置を採用するか、静電気除去用スプレーを使用している。本発明にあっては、接地を必要としないので、移動中にフィルムや電子部品に帯電する電荷を容易に除去することができる。
【００４５】
このように、本発明の静電気除去装置は、その使用用途に応じて、携帯型あるいは取り付け型（固定型）とすることができ、どちらの型でも充分に効果を発揮することができる。また、接触部材を接触させるべき構造物の金属部分や車のドアー等を捜さなければならないといった不便さや、接地のための配線（コード）による作業の繁雑化といった不便さは、全く無い。
【００４６】
以上に説明した本発明の効果を纏めると、以下のとおりとなる。
（１）人が本発明の静電気除去装置に触れるだけで、他の個所に触れることなく、人体に帯電した電荷（静電気）を、衝撃や不快感無く、除去することができる。
（２）本発明の静電気除去装置をエレベータの操作盤、ホテルの客室のドアーの取手（ノブ）、車のドアーハンドル、建物のドアーの取手（ノブ）等に装着することで、上記（１）に記載した効果を効果的に奏することができる。
（３）本発明においては、静電気除去装置の内部で電荷を放電するが故に、接地を必要とせず、電子機器等に装着することで、大地からのノイズ等を防ぎながら、静電気を除去することができる。
（４）従来のイオンによる静電気除去装置のように、高価なイオン発生装置やイオン発生のための電力を必要としない。
（５）本発明の静電気除去装置を携帯型電子機器に装着することで、静電気に起因した携帯型電子機器の故障発生の防止だけでなく、携帯型電子機器を携帯している人が携帯型電子機器における静電気除去装置の第１の導電体片に接触することで、常時、人体からの静電気除去が可能となる。
（６）静電気の除去は放電手段あるいは第２の放電手段の内部での現象であり、外部の雰囲気に影響されず、電荷が放電手段あるいは第２の放電手段によって安全に放電される。従って、使用する場所等の制限を受けることがない。
（７）各種工程における帯電し易い物体や物品の移動中においても、接地することなく、移動中の物体や物品から静電気を容易に除去することができる。
【発明を実施するための最良の形態】
【００４７】
以下、図面を参照して、実施例に基づき本発明を説明するが、その前に、図１の（Ａ）、（Ｂ）、（Ｃ）及び（Ｄ）に基づき、本発明の静電気除去装置及び静電気除去方法の概要を説明する。
【００４８】
本発明の静電気除去装置及び静電気除去方法の具体的な概念図及び等価回路図を、図１の（Ａ）、（Ｂ）及び図１の（Ｃ）、（Ｄ）に示す。ここで、図１の（Ａ）に示す具体的な概念図及び図１の（Ｂ）に示す等価回路図は本発明の第１の形態に関し、図１の（Ｃ）に示す具体的な概念図及び図１の（Ｄ）に示す等価回路図は本発明の第２の形態に関する。尚、図１の（Ｂ）及び（Ｄ）中、参照番号２１は導電体片の固有抵抗値を示し、参照番号２２は絶縁層１１の分布容量を示す。
【００４９】
本発明の第１の形態にあっては、図１の（Ａ）及び（Ｂ）に示すように、静電気除去装置は、絶縁層１１を介して対面して配置された第１の導電体片１２及び第２の導電体片１３、並びに、第１の導電体片１２に一端が電気的に接続され、第２の導電体片１３に他端が電気的に接続された放電手段から構成されている。ここで、本発明の第１の形態における図示した例にあっては、放電手段はバリスタ１４から成る。そして、静電気帯電体２０（例えば、人の指）を第１の導電体片１２に接触させることによって第１の導電体片１２及び第２の導電体片１３に静電誘導された電荷が、誘電分極によって第１の導電体片１２と第２の導電体片１３との間に蓄電された後、第１の導電体片１２及び第２の導電体片１３が接地されていない状態で、放電手段によって放電される。即ち、静電気帯電体２０が第１の導電体片１２に接触すると、絶縁層１１を挟んで位置する第２の導電体片１３に、第１の導電体片１２に帯電したのとは反対の極の電荷が静電誘導されて帯電し、第１の導電体片１２と第２の導電体片１３との間に電荷（静電気）が誘電分極によって蓄電（蓄積）される。そして、係る電荷に起因した第１の導電体片１２と第２の導電体片１３との間の電位差がバリスタ１４の放電開始電圧以上になると、係る電荷は放電手段であるバリスタ１４によって放電され始める。具体的には、係る電荷はバリスタ１４の内部抵抗によって熱として消耗される。尚、本発明の第１の形態に関する各種の実施例におけるバリスタの放電開始電圧を、限定するものではないが、例えば２８０ボルトとする。
【００５０】
一方、本発明の第２の形態にあっては、図１の（Ｃ）及び（Ｄ）に示すように、静電気除去装置は、第１の導電体片１２に一端が電気的に接続され、第２の導電体片１３に他端が電気的に接続された第２の放電手段を更に備えている。ここで、本発明の第２の形態における図示した例にあっては、放電手段は第１のバリスタ１１４から成り、第２の放電手段は、直列に接続された第２のバリスタ１１５及び放電管（より具体的には、ネオン管）１１６から成る。そして、静電気帯電体２０（例えば、人の指）を第１の導電体片１２に接触させることによって第１の導電体片１２及び第２の導電体片１３に静電誘導された電荷が、誘電分極によって第１の導電体片１２と第２の導電体片１３との間に蓄電された後、第１の導電体片１２及び第２の導電体片１３が接地されていない状態で、放電手段である第１のバリスタ１１４、並びに、第２の放電手段である第２のバリスタ１１５及び放電管１１６によって放電される。尚、放電手段の放電開始電圧よりも、第２の放電手段の放電開始電圧が低い。具体的には、静電気帯電体２０が第１の導電体片１２に接触すると、絶縁層１１を挟んで位置する第２の導電体片１３に、第１の導電体片１２に帯電したのとは反対の極の電荷が静電誘導されて帯電し、第１の導電体片１２と第２の導電体片１３との間に電荷（静電気）が誘電分極によって蓄電（蓄積）される。そして、係る電荷に起因した第１の導電体片１２と第２の導電体片１３との間の電位差が第２の放電手段の放電開始電圧以上になると、係る電荷は第２の放電手段である第２のバリスタ１１５及び放電管１１６によって放電され始める。具体的には、係る電荷は第２のバリスタ１１５の内部抵抗によって熱として消耗され、放電管１１６によって光として消耗され、第１のバリスタ１１４の内部抵抗によって熱として消耗される。尚、本発明の第２の形態に関する各種の実施例における第１のバリスタ、第２のバリスタ、放電管の放電開始電圧を、限定するものではないが、例えば、それぞれ、２８０ボルト、２４ボルト、８０ボルトとする。即ち、放電手段の放電開始電圧は２８０ボルトであり、第２の放電手段の放電開始電圧は１０４ボルト（＝２４ボルト＋８０ボルト）である。
【実施例１】
【００５１】
実施例１は、携帯用円筒型の静電気除去装置に関する。
【００５２】
本発明の第１の形態に関する実施例１（以下、実施例１Ａと呼ぶ）の静電気除去装置３０の模式的な斜視図を図２の（Ａ）に示し、係る静電気除去装置３０を、図２の（Ａ）の矢印Ｂ−Ｂを含む平面で切断したときの模式的な断面図を図２の（Ｂ）に示す。また、本発明の第２の形態に関する実施例１（以下、実施例１Ｂと呼ぶ）の静電気除去装置１３０の模式的な斜視図を図３の（Ａ）に示し、係る静電気除去装置１３０を、図２の（Ａ）の矢印Ｂ−Ｂを含む平面で切断したときの模式的な断面図を図３の（Ｂ）に示す。
【００５３】
実施例１Ａ及び実施例１Ｂの静電気除去装置３０，１３０は携帯用円筒型である。第１の導電体片３２及び第２の導電体片３３は、絶縁層３１（より具体的には、絶縁層３１及び空気層）を介して対面して配置されている。具体的には、第１の導電体片３２は中空の第１のパイプから成り、第２の導電体片３３は、この第１の導電体片３２の内部に格納され、絶縁層３１によって第１の導電体片３２に固定された第２のパイプから成る。第１のパイプ及び第２のパイプはアルミニウムから作製されている。また、絶縁層３１は、ホットメルト型の接着剤から構成されている。第１の導電体片３２及び第２の導電体片３３は接地されていない。
【００５４】
実施例１Ａの静電気除去装置３０において、放電手段は、第１の導電体片３２にその一端が電気的に接続され、第２の導電体片３３にその他端が電気的に接続されている。具体的には、第１の導電体片３２と第２の導電体片３３との間に存在する空間内に、放電手段であるバリスタ３４が配置されている。このバリスタ３４は、セラミックバリスタであり、より具体的には、酸化亜鉛バリスタ（放電開始電圧：２８０ボルト）である。ここで、バリスタ３４の一方のリード部は半田付けにて第１の導電体片３２の内面に取り付けられており、バリスタ３４の他方のリード部は半田付けにて第２の導電体片３３の外面に取り付けられている。尚、図２の（Ａ）において、絶縁層３１の図示を省略している。そして、静電気帯電体を第１の導電体片３２に接触させることによって第１の導電体片３２及び第２の導電体片３３に静電誘導された電荷が、誘電分極によって第１の導電体片３２と第２の導電体片３３との間に蓄電された後、第１の導電体片３２及び第２の導電体片３３が接地されていない状態で、放電手段であるバリスタ３４によって放電される。
【００５５】
一方、実施例１Ｂの静電気除去装置１３０においては、第１の導電体片３２に一端が電気的に接続され、第２の導電体片３３に他端が電気的に接続された第２の放電手段を更に備えている。そして、静電気帯電体を第１の導電体片３２に接触させることによって第１の導電体片３２及び第２の導電体片３３に静電誘導された電荷が、誘電分極によって第１の導電体片３２と第２の導電体片３３との間に蓄電された後、第１の導電体片３２及び第２の導電体片３３が接地されていない状態で、放電手段及び／又は第２の放電手段によって放電される。具体的には、放電手段は第１のバリスタ１３４から成り、第２の放電手段は直列に接続された第２のバリスタ１３５及び放電管１３６から成り、放電手段の放電開始電圧よりも第２の放電手段の放電開始電圧が低い。より具体的には、第１のバリスタ１３４は酸化亜鉛バリスタ（放電開始電圧：２８０ボルト）から成り、第２のバリスタ１３５も酸化亜鉛バリスタ（放電開始電圧：２４ボルト）から成り、放電管１３６はネオン管（放電開始電圧：８０ボルト）から成る。そして、第１の導電体片３２と第２の導電体片３３との間に存在する空間内に、放電手段及び第２の放電手段（第１のバリスタ１３４、第２のバリスタ１３５、放電管１３６）が配置されている。ここで、第１のバリスタ１３４の一方のリード部及び第２のバリスタ１３５の一方のリード部は半田付けにて第１の導電体片３２の内面に取り付けられており、第１のバリスタ１３４の他方のリード部は半田付けにて第２の導電体片３３の外面に取り付けられており、第２のバリスタ１３５の他方のリード部は半田付けにて放電管１３６のリード部に接続されており、放電管１３６の他方のリード部は半田付けにて第２の導電体片３３の外面に取り付けられている。尚、図３の（Ａ）においても、絶縁層３１の図示を省略している。更には、第１の導電体片３２には、第２の放電手段を構成する放電管１３６の発光状態を観察するための孔部３７が設けられている。
【００５６】
図２の（Ａ）及び（Ｂ）に示した実施例１Ａの静電気除去装置３０を用いた静電気除去試験を行った。具体的には、特に静電気に敏感な６名の被験者を選び、静電気を帯電した被験者がこの静電気除去装置３０の第１の導電体片３２を握ったところ、人体に何ら衝撃が走ることがなかった。その後、他の金属製の装置に触っても衝撃が無く、人体に帯電していた静電気が除去されたことを確認できた。
【００５７】
一方、比較のために、図２の（Ａ）及び（Ｂ）に示した実施例１Ａの静電気除去装置３０における第２の導電体片３３を接地した。そして、静電気を帯電した被験者がこの静電気除去装置３０の第１の導電体片３２を握ったところ、人体に衝撃が走った。以上の結果から、携帯用の実施例１Ａの静電気除去装置は、放電の際に人体に衝撃を与えること無く、充分に静電気を除去することができることを確認できた。
【００５８】
図３の（Ａ）及び（Ｂ）に示した実施例１Ｂの静電気除去装置１３０を用いた静電気除去試験を併せて行った。具体的には、特に静電気に敏感な６名の被験者を選び、静電気を帯電した被験者がこの静電気除去装置１３０の第１の導電体片３２を握ったところ、電荷が第１のバリスタ１３４、第２のバリスタ１３５及び放電管１３６によって放電され、ネオン管から成る放電管１３６の点灯が孔部３７を介して観察された。人体に何ら衝撃が走ることがなかった。その後、他の金属製の装置に触っても衝撃が無く、人体に帯電していた静電気が除去されたことを確認できた。
【００５９】
一方、比較のために、図３の（Ａ）及び（Ｂ）に示した実施例１Ｂの静電気除去装置１３０における第２の導電体片３３を接地した。そして、静電気を帯電した被験者がこの静電気除去装置１３０の第１の導電体片３２を握ったところ、ネオン管から成る放電管１３６の点灯が孔部３７を介して観察されたが、人体に衝撃が走った。以上の結果から、携帯用の実施例１Ｂの静電気除去装置は、放電の際に人体に衝撃を与えること無く、充分に静電気を除去することができることを確認できた。
【００６０】
尚、以下に説明する本発明の第１の形態及び第２の形態に関する各種の実施例においても同様の試験を行ったところ、同様の試験結果が得られた。
【００６１】
実施例１の静電気除去装置の変形例を図４に示す。ここで、図４は、実施例１の静電気除去装置の変形例の一部を切り欠いて示す模式図であり、この静電気除去装置の変形例は、懐中電灯型あるいは万年筆型の静電気除去装置に関する。この静電気除去装置２３０も、携帯用であり、円筒型である。第１の導電体片３２、第２の導電体片３３、及び、絶縁層３１の構造、構成は、図２に示した静電気除去装置３０における第１の導電体片３２、第２の導電体片３３、及び、絶縁層３１の構造、構成と同様とすることができる。第１の導電体片３２の先端部には、透明な樹脂から成るキャップ３８が螺合されている。また、第１の導電体片３２の後端部には、アルミニウム製の蓋３９が螺合されている。
【００６２】
この静電気除去装置２３０において、放電手段は、第１の導電体片３２にその一端が電気的に接続され、第２の導電体片３３にその他端が電気的に接続されている。具体的には、キャップ３８内に、放電手段が格納されている。この放電手段は、バリスタ２３４（放電開始電圧が２４ボルトの酸化亜鉛バリスタから成る）、及び、バリスタ２３４に直列接続された放電管２３６（ネオン管から成り、放電開始電圧は８０ボルト）から成る。バリスタ２３４の一方のリード部は半田付けにて第２の導電体片３３に取り付けられており、バリスタ２３４の他方のリード部は半田付けにて放電管２３６のリード部に接続されており、放電管２３６の他方のリード部は半田付けにて第１の導電体片３２に取り付けられている。そして、静電気帯電体を第１の導電体片３２に接触させることによって第１の導電体片３２及び第２の導電体片３３に静電誘導された電荷が、誘電分極によって第１の導電体片３２と第２の導電体片３３との間に蓄電された後、第１の導電体片３２及び第２の導電体片３３が接地されていない状態で、放電手段であるバリスタ２３４及び放電管２３６によって放電される。尚、放電状態を示す放電管２３６の動作状態は、透明なキャップ３８を介して外部から観察することができる。
【実施例２】
【００６３】
図５の（Ａ）に模式図を示すように、実施例２においては、静電気除去装置を商店の入口のドアー４９に取り付けた。具体的には、ドアー４９のガラス窓のガラス４９Ａの面に、静電気除去装置４０（１４０）が両面接着材で取り付けられている。本発明の第１の形態に関する実施例２（以下、実施例２Ａと呼ぶ）の静電気除去装置４０の模式的な正面図を図５の（Ｂ）に示し、係る静電気除去装置４０の模式的な断面図を図６の（Ａ）に示す。また、本発明の第２の形態に関する実施例２（以下、実施例２Ｂと呼ぶ）の静電気除去装置１４０の模式的な正面図を図５の（Ｃ）に示し、係る静電気除去装置１４０の模式的な断面図を図６の（Ｂ）に示す。
【００６４】
実施例２Ａ及び実施例２Ｂの静電気除去装置４０，１４０の外形形状は箱型である。第１の導電体片４２及び第２の導電体片４３は、ステンレススチール製の薄板から成る。そして、第２の導電体片４３は、ＡＢＳ樹脂から成るハウジング４８の底面に接着剤（図示せず）によって固定されている。一方、ハウジング４８の頂面には開口部４８Ａが設けられており、この開口部４８Ａ内に露出するように第１の導電体片４２がハウジング４８の頂面に接着剤（図示せず）によって固定されている。第１の導電体片４２と第２の導電体片４３とは、フェノール樹脂から成る絶縁層４１によって固定されている。即ち、第１の導電体片４２及び第２の導電体片４３は、絶縁層４１を介して対面して配置されている。場合によっては、ハウジング４８を絶縁層とみなすことで、絶縁層４１を省略することもできる。
【００６５】
実施例２Ａの静電気除去装置４０にあっては、放電手段は、第１の導電体片４２にその一端が電気的に接続され、第２の導電体片４３にその他端が電気的に接続されている。具体的には、絶縁層４１と第１の導電体片４２と第２の導電体片４３とによって囲まれた空間の中に、放電手段であるバリスタ４４が配置されている。ここで、バリスタ４４の一方のリード部は半田付けにて第１の導電体片４２に取り付けられており、バリスタ４４の他方のリード部は半田付けにて第２の導電体片４３に取り付けられている。尚、バリスタ４４は、実施例１Ａにおけるバリスタ３４と同じバリスタである。第１の導電体片４２及び第２の導電体片４３は接地されていない。そして、静電気帯電体を第１の導電体片４２に接触させることによって第１の導電体片４２及び第２の導電体片４３に静電誘導された電荷が、誘電分極によって第１の導電体片４２と第２の導電体片４３との間に蓄電された後、第１の導電体片４２及び第２の導電体片４３が接地されていない状態で、放電手段であるバリスタ４４によって放電される。
【００６６】
一方、実施例２Ｂの静電気除去装置１４０にあっては、第１の導電体片４２に一端が電気的に接続され、第２の導電体片４３に他端が電気的に接続された第２の放電手段を更に備えている。そして、静電気帯電体を第１の導電体片４２に接触させることによって第１の導電体片４２及び第２の導電体片４３に静電誘導された電荷が、誘電分極によって第１の導電体片４２と第２の導電体片４３との間に蓄電された後、第１の導電体片４２及び第２の導電体片４３が接地されていない状態で、放電手段及び／又は第２の放電手段によって放電される。具体的には、放電手段は、第１のバリスタ１４４から成り、第２の放電手段は、直列に接続された第２のバリスタ１４５及び放電管１４６から成り、放電手段の放電開始電圧よりも、第２の放電手段の放電開始電圧が低い。第１のバリスタ１４４、第２のバリスタ１４５及び放電管１４６は、実施例１Ｂにおける第１のバリスタ１３４、第２のバリスタ１３５及び放電管１３６と同じである。そして、第１の導電体片４２と第２の導電体片４３との間に存在する空間内に放電手段（第１のバリスタ１４４）が配置されており、絶縁層４１の外側に第２の放電手段（第２のバリスタ１４５、放電管１４６）が配置されている。ここで、第１のバリスタ１４４の一方のリード部及び第２のバリスタ１４５の一方のリード部は半田付けにて第１の導電体片４２に取り付けられており、第１のバリスタ１４４の他方のリード部は半田付けにて第２の導電体片４３に取り付けられており、第２のバリスタ１４５の他方のリード部は半田付けにて放電管１４６のリード部に接続されており、放電管１４６の他方のリード部は半田付けにて第２の導電体片４３に取り付けられている。更には、ハウジング４８には、第２の放電手段を構成する放電管１４６の発光状態を観察するための孔部４７が設けられている。尚、孔部４７には、透明な樹脂（図示せず）が充填されている。
【実施例３】
【００６７】
図７の（Ａ）に模式的な斜視図を示すように、実施例３においては、静電気除去装置５０，１５０をキーホルダー５８内に組み込んだ。本発明の第１の形態に関する実施例３（以下、実施例３Ａと呼ぶ）におけるキーホルダー５８の、図７の（Ａ）の矢印Ｂ−Ｂを含む平面で切断したときの模式的な断面図を図７の（Ｂ）に示し、本発明の第２の形態に関する実施例３（以下、実施例３Ｂと呼ぶ）におけるキーホルダー５８の、図７の（Ａ）の矢印Ｂ−Ｂを含む平面で切断したときの模式的な断面図を図７の（Ｃ）に示す。
【００６８】
実施例３Ａ及び実施例３Ｂにおいて、絶縁層５１は平板材料から成り、第１の導電体片５２は、平板材料から成る絶縁層５１の一方の面に配置されており、第２の導電体片５３は、平板材料から成る絶縁層５１の他方の面に配置されている。具体的には、第１の導電体片５２及び第２の導電体片５３は、ステンレススチール製の薄板から成る。そして、第１の導電体片５２は、平板材料（材質：フェノール樹脂）から成る絶縁層５１の表面に接着剤（図示せず）によって貼り合わされており、第２の導電体片５３は、絶縁層５１の裏面に接着剤（図示せず）によって貼り合わされている。即ち、第１の導電体片５２及び第２の導電体片５３は、絶縁層５１を介して対面して配置されている。第２の導電体片５３は、ＡＢＳ樹脂から成るカバー５９Ａによって覆われている。具体的には、カバー５９Ａが第２の導電体片５３の表面及び絶縁層５１に接着されている。尚、参照番号５９Ｂは、鍵を取り付けるためのリングである。
【００６９】
実施例３Ａの静電気除去装置５０にあっては、平板材料（絶縁層５１）には貫通部５７が形成されており、貫通部５７内に放電手段を構成するバリスタ５４が格納されている。尚、バリスタ５４は、実施例１Ａにおけるバリスタ３４と同じバリスタである。そして、放電手段を構成するバリスタ５４は、第１の導電体片５２にその一端が電気的に接続され、第２の導電体片５３にその他端が電気的に接続されている。具体的には、バリスタ５４の一方のリード部は導電性ペーストを使用して第１の導電体片５２に取り付けられており、バリスタ５４の他方のリード部は導電性ペーストを使用して第２の導電体片５３に取り付けられている。第１の導電体片５２及び第２の導電体片５３は接地されていない。そして、静電気帯電体を第１の導電体片５２に接触させることによって第１の導電体片５２及び第２の導電体片５３に静電誘導された電荷が、誘電分極によって第１の導電体片５２と第２の導電体片５３との間に蓄電された後、第１の導電体片５２及び第２の導電体片５３が接地されていない状態で、放電手段であるバリスタ５４によって放電される。
【００７０】
一方、実施例３Ｂの静電気除去装置１５０にあっては、第１の導電体片５２に一端が電気的に接続され、第２の導電体片５３に他端が電気的に接続された第２の放電手段を更に備えている。そして、静電気帯電体を第１の導電体片５２に接触させることによって第１の導電体片５２及び第２の導電体片５３に静電誘導された電荷が、誘電分極によって第１の導電体片５２と第２の導電体片５３との間に蓄電された後、第１の導電体片５２及び第２の導電体片５３が接地されていない状態で、放電手段及び／又は第２の放電手段によって放電される。具体的には、放電手段は、第１のバリスタ１５４から成り、第２の放電手段は、直列に接続された第２のバリスタ１５５及び放電管１５６から成り、放電手段の放電開始電圧よりも、第２の放電手段の放電開始電圧が低い。尚、第１のバリスタ１５４、第２のバリスタ１５５及び放電管１５６は、実施例１Ｂにおける第１のバリスタ１３４、第２のバリスタ１３５及び放電管１３６と同じである。そして、平板材料（絶縁層５１）には貫通部５７が形成されており、貫通部５７内に第１のバリスタ１５４、第２のバリスタ１５５及び放電管１５６が格納されている。ここで、第１のバリスタ１５４の一方のリード部及び第２のバリスタ１５５の一方のリード部は導電性ペーストを使用して第１の導電体片５２に取り付けられており、第１のバリスタ１５４の他方のリード部は導電性ペーストを使用して第２の導電体片５３に取り付けられており、第２のバリスタ１５５の他方のリード部は導電性ペーストを使用して放電管１５６のリード部に接続されており、放電管１５６の他方のリード部は導電性ペーストを使用して第２の導電体片５３に取り付けられている。更には、絶縁層５１には、第２の放電手段を構成する放電管１５６の発光状態を観察するための孔部５７Ａが設けられている。尚、孔部５７Ａには、透明な樹脂（図示せず）が充填されている。
【実施例４】
【００７１】
図８の（Ａ）に模式的な平面図を示し、図８の（Ｂ）及び（Ｃ）に模式的な断面図を示すように、実施例４においては、静電気除去装置６０，１６０を自動車のドアーの開閉のための鍵６８の内部に組み込んだ。鍵６８は、本体部６９Ａ、本体部６９Ａ内に組み込まれた静電気除去装置６０，１６０、及び、歯（かかりとも呼ばれる）６９Ｂから構成されている。
【００７２】
本発明の第１の形態に関する実施例４（以下、実施例４Ａと呼ぶ）及び本発明の第２の形態に関する実施例４（以下、実施例４Ｂと呼ぶ）にあっては、絶縁層６１は本体部６９Ａの一部分から構成されている。ここで、本体部６９Ａはフェノール樹脂から成る。そして、ステンレススチール製の薄板から成る第１の導電体片６２は絶縁層６１の一方の面に配置されており、ステンレススチール製の薄板から成る第２の導電体片６３は絶縁層６１の他方の面に配置されている。具体的には、第１の導電体片６２は絶縁層６１の一方の面に接着剤（図示せず）を用いて接着されており、第２の導電体片６３は絶縁層６１の他方の面に接着剤（図示せず）を用いて接着されている。第１の導電体片６２は本体部６９Ａの外面に位置し、第２の導電体片６３は本体部６９Ａの内面に位置している。
【００７３】
そして、図８の（Ｂ）に模式的な断面図を示す実施例４Ａにおいて、絶縁層６１には貫通部６７が形成されており、放電手段であるバリスタ６４は、絶縁層６１の他方の面側（本体部６９Ａの内部）に配置されており、放電手段であるバリスタ６４の一端は、貫通部６７を介して第１の導電体片６２に電気的に接続されている。具体的には、バリスタ６４の一方のリード部は、貫通部６７を通され、導電性ペーストを使用して第１の導電体片６２に取り付けられており、バリスタ６４の他方のリード部は導電性ペーストを使用して第２の導電体片６３に取り付けられている。第１の導電体片６２及び第２の導電体片６３は接地されていない。そして、静電気帯電体を第１の導電体片６２に接触させることによって第１の導電体片６２及び第２の導電体片６３に静電誘導された電荷が、誘電分極によって第１の導電体片６２と第２の導電体片６３との間に蓄電された後、第１の導電体片６２及び第２の導電体片６３が接地されていない状態で、放電手段であるバリスタ６４によって放電される。
【００７４】
一方、図８の（Ｃ）に模式的な断面図を示す実施例４Ｂの静電気除去装置１６０にあっては、第１の導電体片６２に一端が電気的に接続され、第２の導電体片６３に他端が電気的に接続された第２の放電手段を更に備えている。そして、絶縁層６１には貫通部６７が形成されており、放電手段及び第２の放電手段は絶縁層６１の他方の面側（本体部６９Ａの内部）に配置されており、放電手段の一端は貫通部６７を介して第１の導電体片６２に電気的に接続されており、第２の放電手段の一端も貫通部６７を介して第１の導電体片６２に電気的に接続されている。そして、静電気帯電体を第１の導電体片６２に接触させることによって第１の導電体片６２及び第２の導電体片６３に静電誘導された電荷が、誘電分極によって第１の導電体片６２と第２の導電体片６３との間に蓄電された後、第１の導電体片６２及び第２の導電体片６３が接地されていない状態で、放電手段及び／又は第２の放電手段によって放電される。
【００７５】
具体的には、放電手段は、第１のバリスタ１６４から成り、第２の放電手段は、直列に接続された第２のバリスタ１６５及び放電管１６６から成り、放電手段の放電開始電圧よりも、第２の放電手段の放電開始電圧が低い。尚、第１のバリスタ１６４、第２のバリスタ１６５及び放電管１６６は、実施例１Ｂにおける第１のバリスタ１３４、第２のバリスタ１３５及び放電管１３６と同じである。そして、絶縁層６１には貫通部６７が形成されており、本体部６９Ａの内部に第１のバリスタ１６４、第２のバリスタ１６５及び放電管１６６が格納されている。ここで、第１のバリスタ１６４の一方のリード部及び放電管１６６の一方のリード部は、貫通部６７を通されて、導電性ペーストを使用して第１の導電体片６２に取り付けられており、第１のバリスタ１６４の他方のリード部は導電性ペーストを使用して第２の導電体片６３に取り付けられており、放電管１６６の他方のリード部は導電性ペーストを使用して第２のバリスタ１６５のリード部と電気的に接続され、第２のバリスタ１６５の他方のリード部は導電性ペーストを使用して第２の導電体片６３に取り付けられている。更には、絶縁層６１には、第２の放電手段を構成する放電管１６６の発光状態を観察するための孔部６７Ａが設けられている。尚、孔部６７Ａには、透明な樹脂（図示せず）が充填されている。
【実施例５】
【００７６】
実施例５においては、本発明の第１の形態に係る静電気除去装置７０を携帯電話７８に組み込んだ。携帯電話７８の模式的な背面図を図９の（Ａ）に示し、裏蓋７９の裏面の模式図を図９の（Ｂ）に示す。
【００７７】
本発明の第１の形態に関する実施例５にあっては、絶縁層７１は裏蓋７９の一部分から構成されている。ここで、裏蓋７９はフェノール樹脂から成る。そして、ステンレススチール製の薄板から成る第１の導電体片７２は絶縁層７１に相当する裏蓋７９の一方の面（外面）に配置されており、ステンレススチール製の薄板から成る第２の導電体片７３は絶縁層７１に相当する裏蓋７９の他方の面（裏面）に配置されている。具体的には、第１の導電体片７２は絶縁層７１の一方の面に接着剤（図示せず）を用いて接着されており、第２の導電体片７３は絶縁層７１の他方の面に接着剤（図示せず）を用いて接着されている。
【００７８】
そして、図９の（Ｂ）に模式図を示すように、裏蓋７９（絶縁層７１）には貫通部７７が形成されており、放電手段であるバリスタ７４は、絶縁層７１の他方の面側（裏蓋７９の裏面上）に配置されており、放電手段であるバリスタ７４の一端は、貫通部７７を介して第１の導電体片７２に電気的に接続されている。具体的には、バリスタ７４の一方のリード部は、貫通部７７を通され、導電性ペーストを使用して第１の導電体片７２に取り付けられており、バリスタ７４の他方のリード部は導電性ペーストを使用して第２の導電体片７３に取り付けられている。第１の導電体片７２及び第２の導電体片７３は接地されていない。そして、静電気帯電体を第１の導電体片７２に接触させることによって第１の導電体片７２及び第２の導電体片７３に静電誘導された電荷が、誘電分極によって第１の導電体片７２と第２の導電体片７３との間に蓄電された後、第１の導電体片７２及び第２の導電体片７３が接地されていない状態で、放電手段であるバリスタ７４によって放電される。
【００７９】
尚、携帯電話のような電子機器にあっては、放電手段として放電管やエアーギャップを用いた場合、これらからノイズが発生する場合があるので、放電手段としてバリスタを用いることが好ましい。
【実施例６】
【００８０】
実施例６においては、図１０に模式図を示すように、本発明の第２の形態に係る静電気除去装置１８０を樹脂の製造装置に組み込んだ。実施例１〜実施例５において説明した静電気除去装置は一種の携帯型である。一方、実施例６において説明する静電気除去装置１８０は一種の取付型（固定型）である。
【００８１】
実施例６の静電気除去装置１８０において、ステンレススチール製の薄板から成る第１の導電体片８２、及び、ステンレススチール製の薄板から成る第２の導電体片８３は、フェノール樹脂から成る絶縁層８１を介して対面して配置されている。また、放電手段は、第１の導電体片８２にその一端が電気的に接続され、第２の導電体片８３にその他端が電気的に接続されている。実施例６の静電気除去装置１８０においては、第１の導電体片８２に一端が電気的に接続され、第２の導電体片８３に他端が電気的に接続された第２の放電手段を更に備えている。具体的には、放電手段は第１のバリスタ１８４から成り、第２の放電手段は直列に接続された第２のバリスタ１８５及び放電管１８６から成り、放電手段の放電開始電圧よりも第２の放電手段の放電開始電圧が低い。より具体的には、第１のバリスタ１８４は酸化亜鉛バリスタ（放電開始電圧：２４０ボルト）から成り、第２のバリスタ１８５も酸化亜鉛バリスタ（放電開始電圧：３９ボルト）から成り、放電管１８６はネオン管（放電開始電圧：８０ボルト）から成る。ここで、第１のバリスタ１８４の一方のリード部及び放電管１８６の一方のリード部は半田付けにて第１の導電体片８２に取り付けられており、第１のバリスタ１８４の他方のリード部は半田付けにて第２の導電体片８３に取り付けられており、放電管１８６の他方のリード部は半田付けにて第２のバリスタ１８５の一方のリード部に接続されており、第２のバリスタ１８５の他方のリード部は半田付けにて第２の導電体片８３に取り付けられている。ハウジング８７には、第２の放電手段を構成する放電管１８６の発光状態を観察するための孔部（図示せず）が設けられている。
【００８２】
実施例６において、第１の導電体片８２は、パラフィン系の樹脂８９Ｂを入れる金属製のトレイ８９Ａに配線８８を介して電気的に接続されている。
【００８３】
トレイ８９Ａ中に入れられた溶融したパラフィン系の樹脂を乾燥炉にて乾燥し、乾燥炉から搬出した後、トレイ８９Ａから樹脂８９Ｂを取り出すと、トレイ８９Ａには３０キロボルト乃至４５キロボルト程度の静電気が帯電する。このような状態のトレイ８９Ａが静電気帯電体に該当する。ここで、第１の導電体片８２はトレイ８９Ａに配線８８を介して電気的に接続されているので、即ち、静電気帯電体が第１の導電体片に間接的に触れ、あるいは又、静電気帯電体を第１の導電体片に間接的に触れさせた状態となっているので、第１の導電体片８２及び第２の導電体片８３に静電誘導された電荷が、誘電分極によって第１の導電体片８２と第２の導電体片８３との間に蓄電された後、第１の導電体片８２及び第２の導電体片８３が接地されていない状態で、放電手段及び／又は第２の放電手段によって放電される。即ち、樹脂８９Ｂをトレイ８９Ａから取り出す際、トレイ８９Ａに帯電した静電気は静電気除去装置１８０によって除去され、樹脂８９Ｂ及びトレイ８９Ａの帯電をなくすることができる。電荷の放電は、放電管１８６の発光状態を観察するための孔部（図示せず）を介して確認することができる。
【００８４】
尚、取り出された樹脂８９Ｂが帯電している場合には、例えば、配線８８の先端に金属製ブラシを取り付け、このブラシを樹脂８９Ｂに接触させることで、樹脂８９Ｂからの除電を行うことができる。移動中の物品や部品、物体からの除電も同様の方法で行うことができる。また、実施例６においては、本発明の第２の形態に係る静電気除去装置を説明したが、その代わりに、本発明の第１の形態に係る静電気除去装置を用いることもできる。
【実施例７】
【００８５】
実施例１〜実施例４及び実施例６においては放電管を用いて放電の状態を観察したが、その代わりに、図１１に示す解析手段及び表示手段を備えた放電検出回路を用いて放電の状態を調べることもできる。即ち、実施例７における静電気除去装置は、放電手段（又は第２の放電手段）に直列に接続された抵抗器、抵抗器の両端の電圧を解析する解析手段、及び、解析結果を表示する表示手段を更に備えている。具体的には、放電手段（あるいは第２の放電手段）に抵抗器を直列に接続し、抵抗器の両端の電圧を取り出して、解析し、電荷（静電気）の除去の状態を表示する。即ち、図１１に示す実施例７の静電気除去装置は、図１の（Ａ）に示した静電気除去装置において、バリスタ１４と第２の導電体片１３との間に、バリスタ１４と直列に接続された抵抗器１５を備えている。解析手段は、絶対値回路１６、ホールド回路１７及び判断回路１８から構成され、表示手段は表示回路１９から構成されている。尚、このような構成を、本発明の第２の形態に適用することもできる。
【００８６】
静電気帯電体が第１の導電体片１２に接触することによって第１の導電体片１２及び第２の導電体片１３に静電誘導された電荷が、誘電分極によって第１の導電体片１２と第２の導電体片１３との間に蓄電された後、第１の導電体片１２及び第２の導電体片１３が接地されていない状態で、放電手段によって放電されると（具体的には、バリスタ１４に電流が流れると）、バリスタ１４に直列に接続されている抵抗器１５にも電流が流れる。そして、抵抗器１５の両端に発生する電圧が取り出されて、入力電圧の極性を揃えるための絶対値回路１６において正電位に揃えられ、絶対値回路１６からの出力はホールド回路１７において保持される。そして、ホールド回路１７からの出力（電位）は判断回路１８で基準値との比較され、電位の大きさを、例えば、１０キロボルト以上、１キロボルト以上であって１０キロボルト未満、１キロボルト未満の３段階に区分して、表示回路１９で、例えば、赤色を発光する発光ダイオード（例えば１０キロボルト以上）、黄色を発光する発光ダイオード（例えば１キロボルト以上であって１０キロボルト未満）、緑色を発光する発光ダイオード（例えば１キロボルト未満）によって表示する。あるいは又、判断回路１８で基準値との比較された電位の大きさを、音あるいは音声で表示することもできる。尚、解析手段及び表示手段は、図示しない電池によって駆動される。
【００８７】
このような構成にすることで、電位センサーとして、放射性物質や振動型チョッパー等の高価な特別な装置を必要とせずに電荷を検出し、あるいは又、放電状態の観察や除電状態の確認を行うことができる。
【００８８】
以上、本発明を好ましい実施例に基づき説明したが、本発明はこれらの実施例に限定されるものではない。実施例にて説明した静電気除去装置の構成や構造、放電手段や第２の放電手段の構成や構造、静電気除去装置を組み込んだ物品等の構成や構造、静電気除去装置や静電気除去装置を組み込んだ物品等において使用した部品やその仕様、材質等は例示であり、適宜変更することができる。
【図面の簡単な説明】
【００８９】
【図１】図１の（Ａ）及び（Ｂ）は、それぞれ、本発明の静電気除去装置及び静電気除去方法における第１の形態の具体的な概念図及び等価回路図を示し、図１の（Ｃ）及び（Ｄ）は、それぞれ、本発明の静電気除去装置及び静電気除去方法における第２の形態の具体的な概念図及び等価回路図を示す。
【図２】図２の（Ａ）は、本発明の第１の形態に関する実施例１の静電気除去装置の模式的な斜視図であり、図２の（Ｂ）は、本発明の第１の形態に関する実施例１の静電気除去装置を、その軸線を含む平面で切断したときの模式的な断面図である。
【図３】図３の（Ａ）は、本発明の第２の形態に関する実施例１の静電気除去装置の模式的な斜視図であり、図３の（Ｂ）は、本発明の第２の形態に関する実施例１の静電気除去装置を、その軸線を含む平面で切断したときの模式的な断面図である。
【図４】図４は、本発明の第１の形態に関する実施例１の静電気除去装置の変形例の一部を切り欠いて示す模式図である。
【図５】図５の（Ａ）は、実施例２の静電気除去装置を商店の入口のドアーに取り付けた状態を模式的に示す図であり、図５の（Ｂ）及び（Ｃ）は、実施例２の静電気除去装置の模式的な正面図である。
【図６】図６の（Ａ）及び（Ｂ）は、それぞれ、実施例２の静電気除去装置の模式的な断面図である。
【図７】図７の（Ａ）は、実施例３の静電気除去装置を組み込んだキーホルダーの模式的な斜視図であり、図７の（Ｂ）及び（Ｃ）は、それぞれ、実施例３の静電気除去装置を組み込んだキーホルダーの模式的な断面図である。
【図８】図８の（Ａ）は、実施例４の静電気除去装置を組み込んだ鍵の模式的な平面図であり、図８の（Ｂ）及び（Ｃ）は、それぞれ、実施例４の静電気除去装置を組み込んだ鍵の模式的な断面図である。
【図９】図９の（Ａ）は、実施例５の静電気除去装置を組み込んだ携帯電話の模式的な背面図であり、図９の（Ｂ）は、この携帯電話の裏蓋の裏面の模式図である。
【図１０】図１０は、実施例６における静電気除去装置を樹脂の製造装置に組み込んだ模式図である。
【図１１】図１１は、解析手段及び表示手段を備えた放電検出回路を有する実施例７の静電気除去装置の模式図である。
【符号の説明】
【００９０】
１１・・・絶縁層、１２・・・第１の導電体片、１３・・・第２の導電体片、１４・・・バリスタ、１１４・・・第１のバリスタ、１１５・・・第２のバリスタ、１１６・・・放電管、１５・・・抵抗器、１６・・・絶対値回路、１７・・・ホールド回路、１８・・・判断回路、１９・・・表示回路、２０・・・静電気帯電体、２１・・・導電体片の固有抵抗値、２２・・・絶縁層の分布容量、３０，１３０，４０，１４０，５０，１５０，６０，１６０，７０，１８０・・・静電気除去装置、３１，４１，５１，６１，７１，８１・・・絶縁層、３２，４２，５２，６２，７２，８２・・・第１の導電体片、３３，４３，５３，６３，７３，８３・・・第２の導電体片、３４，４４，５４，６４，７４・・・バリスタ、１３４，１４４，１５４，１６４，１８４・・・第１のバリスタ、１３５，１４５，１５５，１６５，１８５・・・第２のバリスタ、１３６，１４６，１５６，１６６，１８６・・・放電管、３７，４７，６７Ａ・・・孔部、３８・・・キャップ、３９・・・蓋、４８・・・ハウジング、４８Ａ・・・開口部、４９・・・ドアー、５７，６７，６７，７７・・・貫通部、５８・・・キーホルダー、５８Ａ・・・リング、５９・・・カバー、６８・・・鍵、６９Ａ・・・本体部、６９Ｂ・・・歯（かかり）、７８・・・携帯電話、７９・・・裏蓋、８７・・・ハウジング、８８・・・配線、８９Ａ・・・トレイ、８９Ｂ・・・樹脂
【図１】
2005123150.tif 000003
【図２】
2005123150.tif 000004
【図３】
2005123150.tif 000005
【図４】
2005123150.tif 000006
【図５】
2005123150.tif 000007
【図６】
2005123150.tif 000008
【図７】
2005123150.tif 000009
【図８】
2005123150.tif 000010
【図９】
2005123150.tif 000011
【図１０】
2005123150.tif 000012
【図１１】
2005123150.tif 000013